(57)【要約】      （修正有）【課題】地震による目地部の大きな変動にも確実に追従することができるとともに、目地プレートの着脱が容易な目地装置を提供する。【解決手段】一方の躯体３と他方の躯体４に取り付けられ、複数個の枢支部５を有するリンク機構６と、リンク機構に支持され、躯体間の目地部を塞ぐ目地プレート７とを含む目地装置１であって、目地プレートは、リンク機構の枢支部に設けられた複数個の一方の取付具１０ａと、一方の取付具に一端部がそれぞれ回動可能に取り付けられ、屈曲部を有する目地プレート本体９と、これらの目地プレート本体の隣り合う他端部をそれぞれ回転可能に接続する他方の取付具１０ｂとで構成され、一方及び他方の取付具は、ベース部材と、ベース部材に形成され、目地プレートの端部が挿入される目地プレート受け部と、ベース部材に着脱自在に固定され、目地プレートが目地プレート受け部から脱落することを防止する脱落防止具とを含む。【選択図】図１
2020133360.tif 000002
【特許請求の範囲】
【請求項１】
一方の躯体に一端部が取り付けられ、他方の躯体に他端部が取り付けられ、複数個の枢支部を有するリンク機構と、このリンク機構に支持され、前記躯体間の目地部を塞ぐ目地プレートとを含む目地装置であって、
前記目地プレートは、前記リンク機構の枢支部に設けられた複数個の一方の取付具と、これらの一方の取付具に一端部がそれぞれ回動可能に取り付けられ、一方の端部付近に鈍角状に屈曲する屈曲部を有する複数個の目地プレート本体と、これらの複数個の目地プレート本体の隣り合う他端部をそれぞれ回転可能に接続する他方の取付具とで構成され、
前記一方及び他方の取付具は、それぞれベース部材と、該ベース部材に形成され、前記目地プレートの端部が挿入される目地プレート受け部と、前記ベース部材に着脱自在に固定され、かつ、前記目地プレートが目地プレート受け部から脱落することを防止する脱落防止具とを含む目地装置。
【請求項２】
前記目地プレートは、一端部付近及び他端部付近が逆方向に鈍角状に屈曲する屈曲部が形成された第１の目地プレート本体と、一端部側が鈍角状に屈曲する屈曲部が形成されるとともに、その中間部付近に一端部側の屈曲部とは逆方向に屈曲する屈曲部が形成され、他端部付近に屈曲部を有さない第２の目地プレート本体を接続して構成されていることを特徴とする請求項１記載の目地装置。
【請求項３】
前記目地プレートは、２つの第１の目地プレート本体の一端部が一方の取付具に取り付けられ、この第１の目地プレート本体と隣り合うように、２つの第２の目地プレート本体の一端部が一方の取付具に取り付けられるとともに、第１の目地プレート本体と隣り合う第２の目地プレート本体の他端部が他方の取付具に取り付けられていることを特徴とする請求項２に記載の目地装置。
【発明の詳細な説明】
【技術分野】
【０００１】
本発明は目地部を介して設けられた躯体の間の目地部を塞ぐ目地装置に関する。
【背景技術】
【０００２】
従来、躯体の壁面間や天井間の目地部を塞ぐ目地装置は、例えば、接続金具で目地プレートを屏風状に接続し、左右の躯体が左右方向に揺れ動き、目地部の幅の変化を吸収できる目地装置が知られている（特許文献１）。
しかしながら、このような目地装置では、接続金具同士が略接触するほど目地部が狭くなった場合には、接続金具の軸受部が目地プレートに干渉してしまうため、目地プレートや接続金具が破損、変形してしまうおそれがあった。
【０００３】
また、このような接続金具では、目地プレートの軸部を接続金具の上方の端部から挿入し、目地プレートの軸部と接続金具の軸受部を係合しなければならないが、目地プレートや接続金具は上下方向に長尺に形成されているため、目地プレートと接続金具の着脱を容易に行うことができなかった。
【先行技術文献】
【特許文献】
【０００４】
【特許文献１】特許第３０２８５０５号公報
【発明の概要】
【発明が解決しようとする課題】
【０００５】
本発明は以上のような従来の欠点に鑑み、地震による目地部の大きな変動にも確実に追従することができるとともに、目地プレートの着脱が容易な目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の目地装置は、一方の躯体に一端部が取り付けられ、他方の躯体に他端部が取り付けられ、複数個の枢支部を有するリンク機構と、このリンク機構に支持され、前記躯体間の目地部を塞ぐ目地プレートとを含む目地装置であって、前記目地プレートは、前記リンク機構の枢支部に設けられた複数個の一方の取付具と、これらの一方の取付具に一端部がそれぞれ回動可能に取り付けられ、一方の端部付近に鈍角状に屈曲する屈曲部を有する複数個の目地プレート本体と、これらの複数個の目地プレート本体の隣り合う他端部をそれぞれ回転可能に接続する他方の取付具とで構成され、前記一方及び他方の取付具は、それぞれベース部材と、該ベース部材に形成され、前記目地プレートの端部が挿入される目地プレート受け部と、前記ベース部材に着脱自在に固定され、かつ、前記目地プレートが目地プレート受け部から脱落することを防止する脱落防止具とを含むことを特徴とする。
【０００８】
請求項２に記載の目地装置の前記目地プレートは、一端部付近及び他端部付近が逆方向に鈍角状に屈曲した第１の目地プレート本体と、一端部側が鈍角状に屈曲するとともに、その中間部付近に一端部側の屈曲とは逆方向に屈曲し、他端部付近に屈曲を有さない第２の目地プレート本体を接続して構成されていることを特徴とする。
請求項３記載の目地装置の前記目地プレートは、２つの第１の目地プレート本体の一端部が一方の取付具に取り付けられ、この第１の目地プレート本体と隣り合うように、２つの第２の目地プレート本体の一端部が一方の取付具に取り付けられるとともに、第１の目地プレート本体と隣り合う第２の目地プレート本体の他端部が他方の取付具に取り付けられていることを特徴とする。
【発明の効果】
【０００９】
以上の説明から明らかなように、本発明にあっては次に列挙する効果が得られる。
（１）請求項１に記載の発明においては、一方の端部付近に鈍角状に屈曲する屈曲部を有する複数個の目地プレート本体を用いているので、地震によって左右の躯体が揺れ動いた際に、取付具等に目地プレート本体が接触することなくスムーズに伸縮することができる。
（２）また、取付具はベース部材と脱落防止具とを含むので、脱落防止具をはずすことで容易に目地プレートをはずすことができる。
したがって、容易にメンテナンス等を行うことができる。
（３）請求項２及び請求項３に記載の発明においても、前記（１）〜（２）と同様な効果が得られるとともに、より確実に接触を防止することができる。
【図面の簡単な説明】
【００１０】
図１乃至図８は本発明の第１の実施形態を示す説明図である。
図９乃至図１１は本発明の第２の実施形態を示す説明図である。
【図１】第１の実施形態を示す目地装置の正面図。
【図２】図１の２−２線に沿う断面図。
【図３】目地プレートの説明図。
【図４】第１の目地プレート本体の斜視説明図。
【図５】第２の目地プレート本体の斜視説明図。
【図６】取付具の説明図。（ａ）一方の取付具。（ｂ）他方の取付具。
【図７】地震で目地部が狭くなった平面視側からの動作説明図。
【図８】地震で目地部が広くなった平面視側からの動作説明図。
【図９】第２の実施形態を示す目地装置の正面図。
【図１０】図９の１０−１０線に沿う断面図。
【図１１】目地プレートの説明図。
【発明を実施するための形態】
【００１１】
以下、図面に示す本発明を実施するための形態により、本発明を詳細に説明する。
図１乃至図８に示す本発明を実施するための第１の形態において、１は目地部２を介して設けられた左右の躯体（一方の躯体３及び他方の躯体４）間に設置された目地装置である。
【００１２】
なお、左右方向とは図１（正面視）における左右方向であり、前後方向とは図２における上下方向、上下方向とは図１における上下方向をいう。
【００１３】
また、本発明において躯体とは、建物、道路、スラブ、エレベーターシャフト等の床用目地プレートを設置可能な建造物をいい、出入口とはドアや扉の設けられた出入口だけではなく、人や車両等が通行できる通路も含むものである。
【００１４】
本実施形態の目地装置１は、図１乃至図３に示すように、例えば、一方の躯体３に一端部が取り付けられ、他方の躯体４に他端部が取り付けられ、複数個の枢支部５を有するリンク機構６と、該リンク機構６に支持され、一方と他方の左右の躯体３、４間の目地部２を塞ぐ目地プレート７とを有している。
【００１５】
リンク機構６は、複数個の枢支部５を有し、左右方向に伸縮可能に構成されており、その両端部がヒンジ部材８を介して左右の躯体３、４に取り付けられている。
なお、リンク機構６は、本実施形態のものに限られず、目地プレートを支持することができるリンク機構６であればよく、公知のリンク機構６を用いることができる。
【００１６】
また、図１においては、他のリンク機構６は省略されているが、リンク機構６は図１の上下方向に複数個設けられている。
【００１７】
図２及び図３で示すように、実施形態の目地プレート７は、リンク機構６側に位置する一方の取付具１０ａと、この一方の取付具１０ａに対して離間する他方の取付具１０ｂを介して、全体として略屏風状に構成されている。
なお、本明細書では、説明の便宜上、前記一方の取付具１０ａと他方の取付具１０ｂをまとめて「取付具１０」という
さて、前記リンク機構６の枢支部５（伸縮により上下移動しない枢支部５）には、目地プレート本体９を取り付けるための一方の取付具１０ａが設けられている。
目地プレート７は、前述したように複数個の金属板材の目地プレート本体９を多数の取付具１０（１０ａ、１０ｂ）により平面視略屏風状に接続して構成しており、具体的には、一方の取付具１０ａに目地プレート本体９の一端部が回動可能に取り付けられ、目地プレート本体９の隣り合う他端部をそれぞれ他方の取付具１０ｂに回転可能に取り付けて接続している。
【００１８】
目地プレート本体９は、本実施形態では、２種類の目地プレート本体９が用いられており、便宜上、一方を第１の目地プレート本体９ａ、他方を第２の目地プレート本体９ｂとして説明する。
【００１９】
第１の目地プレート本体９ａは、その両端部付近が鈍角上に屈曲する屈曲部１６が形成されており、本実施形態においては、１４０度〜１５０度程度の角度で屈曲している。なお、一端部側と他端部側の屈曲部１６は、逆方向になるように曲げられており、平面視において、Ｓ字状や逆Ｓ字状のような形状に形成されている。
また、その両端部には目地プレート受け部１１に回転可能に挿入される挿入部１７が折り曲げ形成されている。この挿入部１７は、丸棒軸状の部材を目地プレート本体９の端部に固定して形成してもよい。
【００２０】
第２の目地プレート本体９ｂは、一端部側が１４０度〜１５０度程度の角度で屈曲する屈曲部１６が形成され、その中間部分付近で一端部側の屈曲部１６と逆方向に鈍角状に屈曲する屈曲部１６が形成されている。
【００２１】
取付具１０（１０ａ、１０ｂ）は、目地プレート本体９の端部が挿入される目地プレート受け部１１が２つ形成され、上下方向にレール状に延在するベース部材１２と、このベース部材１２にネジ等で着脱自在に固定されるとともに、前記目地プレート受け部１１に挿入された目地プレート本体９の端部を回転可能、かつ、目地プレート受け部１１から前後方向に脱落しないように保持する脱落防止具１３とで構成されている。
【００２２】
なお、この取付具１０の下端部には、目地プレート本体９の端部を支持する支持部１５が設けられており、目地プレート本体９が下方へ脱落することを防止している。この支持部１５はベース部材１２等に一体的に形成してもよいし、ベース部材１２等と別体に形成し、ベース部材１２等に固定してもよい。
【００２３】
この取付具１０は前記目地プレート本体９の一端部側を接続する一方の取付具１０ａと目地プレート本体９の他端部側を接続する他方の取付具１０ｂとがあり、一方の取付具１０ａは、リンク機構６の枢支部５に取り付けられる。
【００２４】
取付具１０（１０ａ、１０ｂ）は、ベース部材１２にビス等により着脱自在に脱落防止具１３が取り付けられているので、この脱落防止具１３を外すことで、目地プレート受け部１１の保持状態が解除されるため、クレーン等で目地プレート本体９を上方向に持ち上げて引き抜かなくてもよく、容易に目地プレート本体９を着脱することができ、メンテナンスを容易に行うことができる。
【００２５】
一方の取付具１０ａについては、リンク機構６の枢支部５に取り付けるための取付部１４が形成されている。
【００２６】
ところで、本実施形態においては、一方の取付具１０ａには同一の目地プレート本体９、例えば、第１の目地プレート本体９ａの一端部同士又は第２の目地プレート本体９ｂの一端部同士を接続しており、他方の取付具１０ｂは、第１の目地プレート本体９ａの他端部と第２の目地プレート本体９ｂの他端部を接続している。
【００２７】
また、隣り合う第１の目地プレート９ａ同士は、線対称となるように逆向きに配置され、２つの第１の目地プレート本体９ａの一端部が一方の取付具１０ａに取り付けられ、この第１の目地プレート本体９ａと隣り合うように、２つの第２の目地プレート本体９ｂの一端部が一方の取付具１０ａに取り付けられるとともに、第１の目地プレート本体９ａと隣り合う第２の目地プレート本体９ｂの他端部が他方の取付具１０ｂに取り付けられている。
【００２８】
すなわち、平面視において、第１の目地プレート９ａ、第１の目地プレート９ａ（逆向き）、第２の目地プレート本体９ｂ、第２の目地プレート本体９ｂ（逆向き）、第１の目地プレート９ａ、・・・のように配置されている。なお、左右端部に位置する取付具１０は、１つの目地プレート受け部１１を有しており、適宜隣り合う目地プレート本体９と異なる目地プレート本体９（隣り合う目地プレート本体９が第１の目地プレート本体９ａであれば、第２の目地プレート本体９ｂ）の一端部が取り付けられる。
このように配置することにより、地震時により確実にその揺れ動きを吸収することができる。
【００２９】
地震で躯体３、４が左右方向に揺れ動き目地部２が狭くなると、図７に示すように、リンク機構６が左右方向に縮小するとともに、目地プレート本体９がその端部を支点に回動し、目地プレート７が全体として左右方向に縮小して地震による揺れ動きを吸収する。
【００３０】
このとき、目地プレート本体９は、その一方の端部付近が鈍角状に屈曲しているため、取付具１０同士が略当接するまで接近してもベース部材１２や脱落防止具１３と干渉することなく、目地プレート本体９の端部や取付具１０が破損や変形することを防止できる。
地震で躯体３、４が左右方向に揺れ動き目地部２が広くなると、図８に示すように、リンク機構６が左右方向に伸長するとともに、目地プレート７も全体として左右方向に伸長して地震による揺れ動きを吸収する。
【００３１】
[発明を実施するための異なる形態]
次に、図９乃至図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図９乃至図１１に示す本発明を実施するための第２の形態において、前記本発明を実施するための第１の形態と主に異なる点は、第１の目地プレート本体９ａのみを取付具１０で接続し、屏風状の目地プレート７Ａを構成した点で、このような目地プレート１Ａを用いた目地装置１Ａにしても、前記本発明を実施するための第１の形態と同様の作用効果を得ることができる。
【００３２】
なお、目地プレートは、第２の目地プレート本体のみを用いて構成してもよく、また、第１の目地プレート本体や第２の目地プレート本体の配置を変更してもよい。
本発明の実施形態においては、壁面間の目地部を塞ぐ壁面用目地装置として本発明を用いていたが、例えば、天井間の目地部を塞ぐ天井用目地装置として本発明を用いることもできる。
【産業上の利用可能性】
【００３３】
本発明は目地装置を製造する産業で利用される。
【符号の説明】
【００３４】
１、１Ａ：目地装置、                ２：目地部、
３：一方の躯体、                    ４：他方の躯体、
５：枢支部、                        ６：リンク機構、
７、７Ａ：目地プレート、            ８：ヒンジ部材、
９：目地プレート本体、              １０：取付具、
１０ａ：一方の取付具、              １０ｂ：他方の取付具、
１１：目地プレート受け部、          １２：ベース部材、
１３：脱落防止具、                  １４：取付部、
１５：支持部、                      １６：屈曲部、
１７：挿入部。
【図１】
2020133360.tif 000003
【図２】
2020133360.tif 000004
【図３】
2020133360.tif 000005
【図４】
2020133360.tif 000006
【図５】
2020133360.tif 000007
【図６】
2020133360.tif 000008
【図７】
2020133360.tif 000009
【図８】
2020133360.tif 000010
【図９】
2020133360.tif 000011
【図１０】
2020133360.tif 000012
【図１１】
2020133360.tif 000013
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
一方の躯体に一端部が取り付けられ、他方の躯体に他端部が取り付けられ、複数個の枢支部を有するリンク機構と、このリンク機構に支持され、前記躯体間の目地部を塞ぐ目地プレートとを含む目地装置であって、
前記目地プレートは、前記リンク機構の枢支部に設けられた複数個の一方の取付具と、これらの一方の取付具に一端部がそれぞれ回動可能に取り付けられ、一方の端部付近に鈍角状に屈曲する屈曲部を有する複数個の目地プレート本体と、これらの複数個の目地プレート本体の隣り合う他端部をそれぞれ回転可能に接続する他方の取付具とで構成され、
前記一方及び他方の取付具は、それぞれベース部材と、該ベース部材に形成され、前記目地プレート本体の端部が挿入される目地プレート受け部と、前記ベース部材に着脱自在に固定され、かつ、前記目地プレート本体が目地プレート受け部から脱落することを防止する脱落防止具とを含む目地装置。
【請求項２】
前記目地プレートは、一端部付近及び他端部付近が逆方向に鈍角状に屈曲する屈曲部が形成された第１の目地プレート本体と、一端部側が鈍角状に屈曲する屈曲部が形成されるとともに、その中間部付近に一端部側の屈曲部とは逆方向に屈曲する屈曲部が形成され、他端部付近に屈曲部を有さない第２の目地プレート本体を接続して構成されていることを特徴とする請求項１記載の目地装置。
【請求項３】
前記目地プレートは、２つの第１の目地プレート本体の一端部が一方の取付具に取り付けられ、この第１の目地プレート本体と隣り合うように、２つの第２の目地プレート本体の一端部が一方の取付具に取り付けられるとともに、第１の目地プレート本体と隣り合う第２の目地プレート本体の他端部が他方の取付具に取り付けられていることを特徴とする請求項２に記載の目地装置。
【手続補正２】
【補正対象書類名】明細書
【補正対象項目名】全文
【補正方法】変更
【補正の内容】
【発明の詳細な説明】
【技術分野】
【０００１】
本発明は目地部を介して設けられた躯体の間の目地部を塞ぐ目地装置に関する。
【背景技術】
【０００２】
従来、躯体の壁面間や天井間の目地部を塞ぐ目地装置は、例えば、接続金具で目地プレートを屏風状に接続し、左右の躯体が左右方向に揺れ動き、目地部の幅の変化を吸収できる目地装置が知られている（特許文献１）。
しかしながら、このような目地装置では、接続金具同士が略接触するほど目地部が狭くなった場合には、接続金具の軸受部が目地プレートに干渉してしまうため、目地プレートや接続金具が破損、変形してしまうおそれがあった。
【０００３】
また、このような接続金具では、目地プレートの軸部を接続金具の上方の端部から挿入し、目地プレートの軸部と接続金具の軸受部を係合しなければならないが、目地プレートや接続金具は上下方向に長尺に形成されているため、目地プレートと接続金具の着脱を容易に行うことができなかった。
【先行技術文献】
【特許文献】
【０００４】
【特許文献１】特許第３０２８５０５号公報
【発明の概要】
【発明が解決しようとする課題】
【０００５】
本発明は以上のような従来の欠点に鑑み、地震による目地部の大きな変動にも確実に追従することができるとともに、目地プレートの着脱が容易な目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の目地装置は、一方の躯体に一端部が取り付けられ、他方の躯体に他端部が取り付けられ、複数個の枢支部を有するリンク機構と、このリンク機構に支持され、前記躯体間の目地部を塞ぐ目地プレートとを含む目地装置であって、前記目地プレートは、前記リンク機構の枢支部に設けられた複数個の一方の取付具と、これらの一方の取付具に一端部がそれぞれ回動可能に取り付けられ、一方の端部付近に鈍角状に屈曲する屈曲部を有する複数個の目地プレート本体と、これらの複数個の目地プレート本体の隣り合う他端部をそれぞれ回転可能に接続する他方の取付具とで構成され、前記一方及び他方の取付具は、それぞれベース部材と、該ベース部材に形成され、前記目地プレート本体の端部が挿入される目地プレート受け部と、前記ベース部材に着脱自在に固定され、かつ、前記目地プレート本体が目地プレート受け部から脱落することを防止する脱落防止具とを含むことを特徴とする。
【０００８】
請求項２に記載の目地装置の前記目地プレートは、一端部付近及び他端部付近が逆方向に鈍角状に屈曲した第１の目地プレート本体と、一端部側が鈍角状に屈曲するとともに、その中間部付近に一端部側の屈曲とは逆方向に屈曲し、他端部付近に屈曲を有さない第２の目地プレート本体を接続して構成されていることを特徴とする。
請求項３記載の目地装置の前記目地プレートは、２つの第１の目地プレート本体の一端部が一方の取付具に取り付けられ、この第１の目地プレート本体と隣り合うように、２つの第２の目地プレート本体の一端部が一方の取付具に取り付けられるとともに、第１の目地プレート本体と隣り合う第２の目地プレート本体の他端部が他方の取付具に取り付けられていることを特徴とする。
【発明の効果】
【０００９】
以上の説明から明らかなように、本発明にあっては次に列挙する効果が得られる。
（１）請求項１に記載の発明においては、一方の端部付近に鈍角状に屈曲する屈曲部を有する複数個の目地プレート本体を用いているので、地震によって左右の躯体が揺れ動いた際に、取付具等に目地プレート本体が接触することなくスムーズに伸縮することができる。
（２）また、取付具はベース部材と脱落防止具とを含むので、脱落防止具をはずすことで容易に目地プレートをはずすことができる。
したがって、容易にメンテナンス等を行うことができる。
（３）請求項２及び請求項３に記載の発明においても、前記（１）〜（２）と同様な効果が得られるとともに、より確実に接触を防止することができる。
【図面の簡単な説明】
【００１０】
図１乃至図８は本発明の第１の実施形態を示す説明図である。
図９乃至図１１は本発明の第２の実施形態を示す説明図である。
【図１】第１の実施形態を示す目地装置の正面図。
【図２】図１の２−２線に沿う断面図。
【図３】目地プレートの説明図。
【図４】第１の目地プレート本体の斜視説明図。
【図５】第２の目地プレート本体の斜視説明図。
【図６】取付具の説明図。（ａ）一方の取付具。（ｂ）他方の取付具。
【図７】地震で目地部が狭くなった平面視側からの動作説明図。
【図８】地震で目地部が広くなった平面視側からの動作説明図。
【図９】第２の実施形態を示す目地装置の正面図。
【図１０】図９の１０−１０線に沿う断面図。
【図１１】目地プレートの説明図。
【発明を実施するための形態】
【００１１】
以下、図面に示す本発明を実施するための形態により、本発明を詳細に説明する。
図１乃至図８に示す本発明を実施するための第１の形態において、１は目地部２を介して設けられた左右の躯体（一方の躯体３及び他方の躯体４）間に設置された目地装置である。
【００１２】
なお、左右方向とは図１（正面視）における左右方向であり、前後方向とは図２における上下方向、上下方向とは図１における上下方向をいう。
【００１３】
また、本発明において躯体とは、建物、道路、スラブ、エレベーターシャフト等の床用目地プレートを設置可能な建造物をいい、出入口とはドアや扉の設けられた出入口だけではなく、人や車両等が通行できる通路も含むものである。
【００１４】
本実施形態の目地装置１は、図１乃至図３に示すように、例えば、一方の躯体３に一端部が取り付けられ、他方の躯体４に他端部が取り付けられ、複数個の枢支部５を有するリンク機構６と、該リンク機構６に支持され、一方と他方の左右の躯体３、４間の目地部２を塞ぐ目地プレート７とを有している。
【００１５】
リンク機構６は、複数個の枢支部５を有し、左右方向に伸縮可能に構成されており、その両端部がヒンジ部材８を介して左右の躯体３、４に取り付けられている。
なお、リンク機構６は、本実施形態のものに限られず、目地プレートを支持することができるリンク機構６であればよく、公知のリンク機構６を用いることができる。
【００１６】
また、図１においては、他のリンク機構６は省略されているが、リンク機構６は図１の上下方向に複数個設けられている。
【００１７】
図２及び図３で示すように、実施形態の目地プレート７は、リンク機構６側に位置する一方の取付具１０ａと、この一方の取付具１０ａに対して離間する他方の取付具１０ｂを介して、全体として略屏風状に構成されている。
なお、本明細書では、説明の便宜上、前記一方の取付具１０ａと他方の取付具１０ｂをまとめて「取付具１０」という
さて、前記リンク機構６の枢支部５（伸縮により上下移動しない枢支部５）には、目地プレート本体９を取り付けるための一方の取付具１０ａが設けられている。
目地プレート７は、前述したように複数個の金属板材の目地プレート本体９を多数の取付具１０（１０ａ、１０ｂ）により平面視略屏風状に接続して構成しており、具体的には、一方の取付具１０ａに目地プレート本体９の一端部が回動可能に取り付けられ、目地プレート本体９の隣り合う他端部をそれぞれ他方の取付具１０ｂに回転可能に取り付けて接続している。
【００１８】
目地プレート本体９は、本実施形態では、２種類の目地プレート本体９が用いられており、便宜上、一方を第１の目地プレート本体９ａ、他方を第２の目地プレート本体９ｂとして説明する。
【００１９】
第１の目地プレート本体９ａは、その両端部付近が鈍角上に屈曲する屈曲部１６が形成されており、本実施形態においては、１４０度〜１５０度程度の角度で屈曲している。なお、一端部側と他端部側の屈曲部１６は、逆方向になるように曲げられており、平面視において、Ｓ字状や逆Ｓ字状のような形状に形成されている。
また、その両端部には目地プレート受け部１１に回転可能に挿入される挿入部１７が折り曲げ形成されている。この挿入部１７は、丸棒軸状の部材を目地プレート本体９の端部に固定して形成してもよい。
【００２０】
第２の目地プレート本体９ｂは、一端部側が１４０度〜１５０度程度の角度で屈曲する屈曲部１６が形成され、その中間部分付近で一端部側の屈曲部１６と逆方向に鈍角状に屈曲する屈曲部１６が形成されている。
【００２１】
取付具１０（１０ａ、１０ｂ）は、目地プレート本体９の端部が挿入される目地プレート受け部１１が２つ形成され、上下方向にレール状に延在するベース部材１２と、このベース部材１２にネジ等で着脱自在に固定されるとともに、前記目地プレート受け部１１に挿入された目地プレート本体９の端部を回転可能、かつ、目地プレート受け部１１から前後方向に脱落しないように保持する脱落防止具１３とで構成されている。
【００２２】
なお、この取付具１０の下端部には、目地プレート本体９の端部を支持する支持部１５が設けられており、目地プレート本体９が下方へ脱落することを防止している。この支持部１５はベース部材１２等に一体的に形成してもよいし、ベース部材１２等と別体に形成し、ベース部材１２等に固定してもよい。
【００２３】
この取付具１０は前記目地プレート本体９の一端部側を接続する一方の取付具１０ａと目地プレート本体９の他端部側を接続する他方の取付具１０ｂとがあり、一方の取付具１０ａは、リンク機構６の枢支部５に取り付けられる。
【００２４】
取付具１０（１０ａ、１０ｂ）は、ベース部材１２にビス等により着脱自在に脱落防止具１３が取り付けられているので、この脱落防止具１３を外すことで、目地プレート受け部１１の保持状態が解除されるため、クレーン等で目地プレート本体９を上方向に持ち上げて引き抜かなくてもよく、容易に目地プレート本体９を着脱することができ、メンテナンスを容易に行うことができる。
【００２５】
一方の取付具１０ａについては、リンク機構６の枢支部５に取り付けるための取付部１４が形成されている。
【００２６】
ところで、本実施形態においては、一方の取付具１０ａには同一の目地プレート本体９、例えば、第１の目地プレート本体９ａの一端部同士又は第２の目地プレート本体９ｂの一端部同士を接続しており、他方の取付具１０ｂは、第１の目地プレート本体９ａの他端部と第２の目地プレート本体９ｂの他端部を接続している。
【００２７】
また、隣り合う第１の目地プレート９ａ同士は、線対称となるように逆向きに配置され、２つの第１の目地プレート本体９ａの一端部が一方の取付具１０ａに取り付けられ、この第１の目地プレート本体９ａと隣り合うように、２つの第２の目地プレート本体９ｂの一端部が一方の取付具１０ａに取り付けられるとともに、第１の目地プレート本体９ａと隣り合う第２の目地プレート本体９ｂの他端部が他方の取付具１０ｂに取り付けられている。
【００２８】
すなわち、平面視において、第１の目地プレート９ａ、第１の目地プレート９ａ（逆向き）、第２の目地プレート本体９ｂ、第２の目地プレート本体９ｂ（逆向き）、第１の目地プレート９ａ、・・・のように配置されている。なお、左右端部に位置する取付具１０は、１つの目地プレート受け部１１を有しており、適宜隣り合う目地プレート本体９と異なる目地プレート本体９（隣り合う目地プレート本体９が第１の目地プレート本体９ａであれば、第２の目地プレート本体９ｂ）の一端部が取り付けられる。
このように配置することにより、地震時により確実にその揺れ動きを吸収することができる。
【００２９】
地震で躯体３、４が左右方向に揺れ動き目地部２が狭くなると、図７に示すように、リンク機構６が左右方向に縮小するとともに、目地プレート本体９がその端部を支点に回動し、目地プレート７が全体として左右方向に縮小して地震による揺れ動きを吸収する。
【００３０】
このとき、目地プレート本体９は、その一方の端部付近が鈍角状に屈曲しているため、取付具１０同士が略当接するまで接近してもベース部材１２や脱落防止具１３と干渉することなく、目地プレート本体９の端部や取付具１０が破損や変形することを防止できる。
地震で躯体３、４が左右方向に揺れ動き目地部２が広くなると、図８に示すように、リンク機構６が左右方向に伸長するとともに、目地プレート７も全体として左右方向に伸長して地震による揺れ動きを吸収する。
【００３１】
[発明を実施するための異なる形態]
次に、図９乃至図１１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図９乃至図１１に示す本発明を実施するための第２の形態において、前記本発明を実施するための第１の形態と主に異なる点は、第１の目地プレート本体９ａのみを取付具１０で接続し、屏風状の目地プレート７Ａを構成した点で、このような目地プレート１Ａを用いた目地装置１Ａにしても、前記本発明を実施するための第１の形態と同様の作用効果を得ることができる。
【００３２】
なお、目地プレートは、第２の目地プレート本体のみを用いて構成してもよく、また、第１の目地プレート本体や第２の目地プレート本体の配置を変更してもよい。
本発明の実施形態においては、壁面間の目地部を塞ぐ壁面用目地装置として本発明を用いていたが、例えば、天井間の目地部を塞ぐ天井用目地装置として本発明を用いることもできる。
【産業上の利用可能性】
【００３３】
本発明は目地装置を製造する産業で利用される。
【符号の説明】
【００３４】
１、１Ａ：目地装置、                ２：目地部、
３：一方の躯体、                    ４：他方の躯体、
５：枢支部、                        ６：リンク機構、
７、７Ａ：目地プレート、            ８：ヒンジ部材、
９：目地プレート本体、              １０：取付具、
１０ａ：一方の取付具、              １０ｂ：他方の取付具、
１１：目地プレート受け部、          １２：ベース部材、
１３：脱落防止具、                  １４：取付部、
１５：支持部、                      １６：屈曲部、
１７：挿入部。